(57)【要約】【課題】従来の印画機構部を１つしかもたない１台のプリンタで、１つのインクリボンを使用して、カラーメタリックを持つ写真プリントを作成することを可能にする。【解決手段】昇華型熱転写プリンタで使用するインクリボン１０を、Ｙ（イエロー）、Ｍ（マゼンタ）、Ｃ（シアン）の３色のインク面に加えて（ＯＰ面を含む場合もある）、受容層つき白色インク面（Ｗ）を持つようにする。そして、この受容層つき白色インク面（Ｗ）により、表面色が銀色メタリックのプリント用紙の所望の部分をプリントし、この部分の銀色メタリックを白色で隠し、その後に、Ｙ（イエロー）、Ｍ（マゼンタ）、Ｃ（シアン）の３色のインク面で、カラープリントを行う。【選択図】図２
2007144693.tif 000002
【特許請求の範囲】
【請求項１】
昇華型熱転写プリンタで使用されるインクリボンであって、
基本色のインク面に加えて、プリント用紙上の所望の部分を白色でプリントするための受容層つき白色インク面を有することを
特徴とするインクリボン。
【請求項２】
さらに、ラメ模様、フォログラム、または、その他の模様をプリントするための透明模様面を有すること
を特徴とする請求項１に記載のインクリボン。
【請求項３】
昇華型熱転写プリンタで使用されるプリント用紙であって、
表面色が銀色メタリックなるように形成され、
かつ、表面に昇華色素受容層が形成されていること
を特徴とするプリント用紙。
【請求項４】
さらに、表面にラメ模様、フォログラム、または、その他の模様が形成されていること
を特徴とする請求項３に記載のプリンタ用紙。
【請求項５】
昇華型熱転写プリンタにより使用されるプリント用紙であって、
全体が透明な素材で形成され、
表面にラメ模様、フォログラム、または、その他の模様が形成され、
かつ、表面に昇華色素受容層が形成されていること
を特徴とするプリント用紙。
【請求項６】
基本色のインク面に加えて、受容層つき白色インク面を持つインクリボンと、表面色が所定の色または模様になるように形成され、かつ、表面に昇華色素受容層が形成されたプリント用紙を使用する昇華型熱転写プリンタであって、
前記プリント用紙上の所望の部分の表面色または模様を隠すために、前記受容層つき白色インク面により白色でプリントを行う表面色隠蔽プリント手段と、
前記表面色隠蔽プリント手段により白色がプリントされたプリント用紙上に、基本色のインク面を使用してカラー画像をプリントするカラープリント手段と
を備えることを特徴とする昇華型熱転写プリンタ。
【請求項７】
前記プリント用紙の表面色が銀色メタリックであることを
特徴とする請求項６に記載の昇華型熱転写プリンタ。
【請求項８】
前記プリント用紙の表面に、ラメ模様、フォログラム、または、その他の模様が形成されていること
を特徴とする請求項６または請求項７に記載の昇華型熱転写プリンタ。
【請求項９】
前記インクリボンには、さらに、ラメ模様、フォログラム、または、その他の模様をプリントするための透明模様面を有し、
前記カラープリント手段には、前記透明模様面によるプリントを行う手段を
備えることを特徴とする請求項６から８のいずれかに記載の昇華型熱転写プリンタ。
【請求項１０】
基本色のインク面に加えて、受容層つき白色インク面を持つインクリボンと、表面色が所定の色または模様になるように形成され、かつ、表面に昇華色素受容層が形成されたプリント用紙を使用する昇華型熱転写プリンタにおけるプリント制御方法であって、
前記昇華型熱転写プリンタ内の制御部により、
前記プリント用紙上の所望の部分の表面色または模様を隠すために、前記受容層つき白色インク面により白色でプリントを行う表面色隠蔽プリント手順と、
前記表面色隠蔽プリント手順により白色がプリントされたプリント用紙上に、基本色のインク面を使用してカラー画像をプリントするカラープリント手順と
が行われることを特徴とするプリント制御方法。
【請求項１１】
前記プリント用紙の表面色が銀色メタリックであることを
特徴とする請求項１０に記載のプリント制御方法。
【発明の詳細な説明】
【技術分野】
【０００１】
本発明は、インクリボン、プリント用紙、昇華型熱転写プリンタ、およびプリント制御方法に関し、特に、カラーメタリック等を持つ写真プリントを、１つのインクリボンと１つの印画機構で作成することを可能にする、インクリボン、プリント用紙、昇華型熱転写プリンタ、およびプリント制御方法に関する。
【背景技術】
【０００２】
昇華型熱転写プリンタは、染料または顔料が塗布されたインクリボンにサーマルヘッドを押し当て、サーマルヘッドの加熱により、インクリボンの染料または顔料を紙などの記録媒体に転写させ画像を形成するものである。
【０００３】
図７は、昇華型熱転写プリンタのプリント部の構成例を示す図である。同図に示すように、ロール紙５１（供給側）から巻き出されたプリント用紙５９の上面側には、巻き出し側のインクリボンロール５２（未使用部分）、インクリボン用ガイドロール５３、サーマルヘッド５４、巻き取り側のインクリボンコア５８（使用済み部分）が順に配置される。インクリボンロール５２から巻き出されたインクリボン５０は、ガイドロール５３にガイドされてロール紙５１から巻き出されたプリント用紙５９と重ね合わせられ、サーマルヘッド５４とプラテンロール５５との間を搬送された後、インクリボンコア５８に巻き取られる。
【０００４】
用紙の下面側には、サーマルヘッド５４に対向する位置にプラテンロール５５が配置され、このプラテンロール５５によりプリント用紙５９がサーマルヘッド５４の発熱抵抗体（図示なし）に適度に押圧される。また、ピンチロール５６に対向する位置にはフィードロール５７が配置される。これらピンチロール５６とフィードロール５７との間にプリント用紙５９を挟み込んでフィードロール５７を回転駆動することにより用紙が搬送される。
【０００５】
ところで、このような昇華型熱転写プリンタにより、カラーメタリックを持つ写真プリントを行うことがある。図８は、カラーメタリックを持つ写真プリントの例を示す図であり、従来の昇華型熱転写プリンタで、図８に示すようなカラーメタリックを持つ写真プリントを作成するには、銀色のメタリックインクリボンと、イエロー（Ｙ）、マゼンタ（Ｍ）、シアン（Ｃ）からなるカラー印刷をするカラーインクリボンの２種類のインクリボンを使用する必要がある。
【０００６】
図９は、メタリックインクリボンの例を示す図であり、メタリックインクリボン１２は、図９に示すごとく、インクリボンの全面が銀色のメタリックインク面で満たされているインクリボンであり、銀色メタリックインク面の表面には、昇華染料が転写できる受容層が形成されており、昇華型熱転写プリンタでメタリックプリント面上にカラー印画ができるようになっている。
【０００７】
図１０は、カラーインクリボンの例を示す図であり、カラーインクリボン１３は、図１０に示すごとく、Ｙ（イエロー）、Ｍ（マゼンタ）、Ｃ（シアン）の３面からなるインクリボンに、印画物の表面を保護するためにラミネート面（ＯＰ）を設けた、Ｙ、Ｍ、Ｃ、ＯＰの４面からなる。
【０００８】
図１１は、従来のプリント用紙の構造を示す図であり、プリント用紙１Ｂは、一般的には、図１１に示すごとく、支持基材２、中間層３、昇華色素受容層４の３層で構成されている。支持基材２は用紙の強度を保つためのものであり、紙やプラスチック系の材料が使用されている。中間層３は、その上にある昇華色素受容層４と支持基材２とを接着させるための層であり、この部分に白色度を増させるため、着色を施している。昇華色素受容層４は、プリント時、インクリボンから熱転写された色素を吸着させる層で、この部分で画像が形成される。
【０００９】
これらのインクリボンとプリント用紙を使用してカラーメタリックを持つ写真プリントを作成するには、銀色メタリック部分を印画する工程と、カラー部分を印画する工程の２工程が必要である。
【００１０】
図１２は、従来のシステム構成例を示す図であり、本発明に直接関係する部分のみを示したものである。図１２に示すシステムにおいては、１台のホストコンピュータ２０に複数の印画機構部を持つプリンタ３０Ｂがインターフェイスケーブル２３で接続され、ホストコンピュータ２０では、画像の作成、およびプリンタ３０Ｂへの画像の送信を行い、プリンタ３０Ｂで、それをプリントする。インターフェイスケーブル２３としては、ＳＣＳＩ、ＵＳＢ、ＩＥＥＥ１３９４、などを用いる。
【００１１】
また、ホストコンピュータ２０は、画像を作成するためのアプリケーションソフト部２１と、プリンタ３０Ｂを制御するためのプリンタドライバ部２２を有しており、プリンタ３０Ｂは、入力データ制御部３１、プリンタ全体を制御する主制御部３３Ｂ、メタリックインクリボンが装填された第１印画機構部３２Ａ、カラーインクリボンが装填された第２印画機構部３２Ｂを有している。
【００１２】
現状、１枚のカラーメタリックを持つ写真プリントを作成するにあたっては、図１２のシステム構成図に示すような、第１印画機構部３２Ａと第２印画機構部３２Ｂの複数の印画機構部を持つプリンタを使用する。
【００１３】
図１３は、図８に示すカラーメタリックを持つ写真プリント物を、図１２に示すような印画機構を２つ持つプリンタシステムでプリントするための処理フロー図である。以下、図１３を参照して、その処理の流れについて説明する。
【００１４】
まず、ホストコンピュータ２０内部にあるアプリケーションソフト部２１にて、メタリックにする部分の画像である、第１画像を作成する（ステップＳ１１）。例えば、図１４（Ａ）に示すような、第１画像（メタリック画像）６１を作成する。
【００１５】
次に、ホストコンピュータ２０内部にあるアプリケーションソフト部２１にて、メタリック部分のうちカラーにしたいメタリック部分のカラー画像を作成する（ステップＳ１２）。例えば、図１４（Ｂ）に示すようなメタリック部分のカラー画像６２を作成する。
【００１６】
それから、写真画像を準備する（ステップＳ１３）。例えば、図１４（Ｃ）に示すような写真画像６３を準備する。
【００１７】
そして、ホストコンピュータ２０内部にあるアプリケーションソフト部２１にて、上記ステップＳ１２で作成したメタリック部分のカラー画像（図１４（Ｂ））と、写真画像（図１４（Ｃ））とを合成し、第２画像を作成する（ステップＳ１４）。例えば、図１４（Ｄ）に示す第２画像６４を作成する。
【００１８】
そして、ホストコンピュータ２０内部にあるアプリケーションソフト部２１より、プリンタドライバ部２２を経由して、第１画像と、第２画像をプリンタ３０Ｂに送信する（ステップＳ１５）。
【００１９】
２つの画像を交信後、第１画像を、メタリックインクリボンが装填してある第１印画機構部３２Ａで印刷する（ステップＳ１６）。例えば、図１４（Ａ）に示す画像６１を、プリントする。
【００２０】
第１画像のプリンタ終了後、プリントした用紙を、カラーインクリボンが装填してある第２印画機構部３２Ｂに移動させ、第２画像を、第２印画機構部３２Ｂにて、用紙上に形成した第１画像の上に印刷する（ステップＳ１７）。例えば、図１４（Ｄ）に示す第２画像６４をプリントする。
【００２１】
第２画像のプリント終了後、プリント用紙上にラミネート層をプリントし、プリンタより排出する（ステップＳ１８）。以上の処理手順により、図８に示すようなカラーメタリックを持つ写真プリント物が得られる。
【００２２】
ところで、上述した従来方式では、下記のような問題点がある。
第１に、従来方式では、カラーメタリックを持つ写真プリントを作成するために、印画機構部を複数持つプリンタや、複数台のプリンタを使用しなければならず、システムのコストが高くなる。
【００２３】
第２に、どのシステムを用いても、メタリック部分の画像と、カラー部および写真部分画像の印画機構が別々となるため、これら２つの画像間での印画位置ズレの精度に大きなバラツキが生じる。
【００２４】
第３に、印画機構部を１つしか持たない１台のプリンタで、従来方式同様に白用紙を用いた場合、「銀メタリック」＋「Ｙ、Ｍ、Ｃ、ＯＰ」のインク面を持つインクリボンが必要となるが、銀メタリック面とＹ、Ｍ、Ｃ，ＯＰ面の部分とでは、インクリボン製造方法が異なる。例えば、銀メタリック面は金属の蒸着方法により製作し、Ｙ、Ｍ、Ｃ、ＯＰ面部分は凹版印刷により製作する。このため現状では製造することが困難である。また製造することができたとしても、製造に多大な設備が必要なことにより、相対的にインクリボンのコストが高くなる。
【００２５】
なお、従来技術のプリンタ装置がある（例えば、特許文献１を参照）。この従来技術のプリンタ装置では、被写体の写真にさらに画像を上書きすることができるインクフィルムを提供することを目的としている。このために、基材フィルムにインク層が展着され、上記インク層を印刷媒体に転写して印刷を行なうためのインクフィルムであって、写真画質の画像印刷に適当な染料系インク層が展着された第１印刷領域Ｄと、メタリック画像の印刷に適当な金属膜が展着された第２印刷領域ＭＴとを存在させたことにより、上記第１印刷領域Ｄでの印刷により写真画質の印刷ができ、第２印刷領域ＭＴでの印刷によりメタリック画像の印刷ができるようにし、写真画質とメタリック画像との２種類の異なる画像を１台のプリンタでほぼ同時に印刷でき、２種類の異なる画質の画像を含むプリントを高速に印刷することを可能としている。
【００２６】
しかしながら、銀メタリックのインク面と、Ｙ、Ｍ、Ｃ、ＯＰのインク面の部分とでは、インクリボン製造方法が異なる。例えば、銀メタリック面は金属の蒸着方法により製作し、Ｙ、Ｍ、Ｃ、ＯＰ面の部分は凹版印刷により製作する。このため現状では製造することが困難である。また製造することができたとしても、製造に多大な設備が必要なことにより、相対的にインクリボンのコストが高くなる。本発明では、「銀メタリック面」と「Ｙ、Ｍ、Ｃ、ＯＰのインク面」を１つのインクリボンに形成することなく、印画機構部を１つしか持たない１台のプリンタで、１つのインクリボンを使用して、カラーメタリック等を持つ写真プリントを作成することを目的としており、従来技術のプリンタ装置とは、発明の目的と構成が異なるものである。
【特許文献１】特開２００３−１２７５６０号公報
【発明の開示】
【発明が解決しようとする課題】
【００２７】
上述したように、カラーメタリックを持つ写真プリントを作成するためには、印画機構部を複数持つプリンタや、複数台のプリンタを使用しなければならず、システムのコストが高くなる問題があり、また、メタリック部分の画像の印画機構と、カラー部および写真部分の画像の印画機構が別々となるため、これら２つの画像間での印画位置ズレの精度に大きなバラツキが生じるという問題があった。
【００２８】
本発明はこのような問題を解決するためになされたもので、その目的は、従来の印画機構部を１つしかもたない１台のプリンタで、１つのインクリボンを使用して、カラーメタリック等を持つ写真プリントを作成することができるようにすると共に、より表現力のある（意匠性の高い）プリント物を作成することができる、インクリボン、プリント用紙、昇華型熱転写プリンタ、およびプリント制御方法を提供することにある。
【課題を解決するための手段】
【００２９】
本発明は、上記課題を解決するためになされたものであり、本発明のインクリボンは、昇華型熱転写プリンタで使用されるインクリボンであって、基本色のインク面に加えて、プリント用紙上の所望の部分を白色でプリントするための受容層つき白色インク面を有することを特徴とする。
このような構成により、昇華型熱転写プリンタで使用するインクリボンが、Ｙ（イエロー）、Ｍ（マゼンタ）、Ｃ（シアン）の３色のインク面に加えて（ＯＰ（ラミネート）面を含む場合もある）、受容層つき白色インク面（Ｗ）を持つようにする。そして、この受容層つき白色インク面（Ｗ）により、例えば、表面色が銀色メタリックのプリント用紙の表面の所望の部分を白色でプリントし、該部分の銀色メタリックを隠し、その後に、Ｙ（イエロー）、Ｍ（マゼンタ）、Ｃ（シアン）の３色のインク面で、カラープリントを行う。
これにより、従来の印画機構部を１つしかもたない１台のプリンタで、１つのインクリボンを使用して、カラーメタリック等を持つ写真プリントを作成することができる。また、従来の昇華型熱転写方式プリンタによる写真プリントで必要であった用紙の白色をインクリボン側に持たせることができるため、銀色メタリックや透明などのプリント用紙が使用でき、今まで以上に豊かなプリント物の色表現に効果がある。
【００３０】
また、本発明のインクリボンは、さらに、ラメ模様、フォログラム、または、その他の模様をプリントするための透明模様面を有することを特徴とする。
このような構成により、インクリボンが、Ｙ（イエロー）、Ｍ（マゼンタ）、Ｃ（シアン）等の基本色のインク面（ＯＰ（ラミネート）面を含む場合もある）と受容層つき白色インク面（Ｗ）に加えて、ラメ模様、フォログラム、または、その他の模様をプリントするための透明模様面（Ｐ）を持つようにする。そして、受容層つき白色インク面（Ｗ）による白色プリントおよび基本色のインク面によるカラープリントの後に、透明模様面（Ｐ）によりラメ模様、フォログラム、または、その他の模様をプリントする。
これにより、従来の印画機構部を１つしかもたない１台のプリンタで、１つのインクリボンを使用して、カラーメタリック等を持つ写真プリントを作成することができるようにする効果に加えて、透明模様面よるプリントより、より表現力のある（意匠性の高い）プリント物を作成することができる。
【００３１】
また、本発明のプリント用紙は、昇華型熱転写プリンタで使用されるプリント用紙であって、表面色が銀色メタリックなるように形成され、かつ、表面に昇華色素受容層が形成されていることを特徴とする。
このような構成により、昇華型熱転写プリンタで使用するプリント用紙を、表面色が銀色メタリックになるように形成し、かつ、表面に昇華色素受容層を形成する。そして、インクリボンとして、例えば、受容層つき白色インク面（Ｗ）を持ったものを使用し、プリント用紙の表面の所望の部分を、受容層つき白色インク面（Ｗ）により白色でプリントし、この部分の銀色メタリックの表面色を白色で隠し、その後に、Ｙ（イエロー）、Ｍ（マゼンタ）、Ｃ（シアン）の３色のインク面（ＯＰ面を含む場合もある）で、カラープリントを行うようにする。
これにより、従来の印画機構部を１つしかもたない１台のプリンタで、１つのインクリボンを使用して、カラーメタリックを持つ写真プリントを作成することができる。
【００３２】
また、本発明のプリント用紙は、さらに、表面にラメ模様、フォログラム、または、その他の模様が形成されていることを特徴とする。
これにより、従来の印画機構部を１つしかもたない１台のプリンタで、１つのインクリボンを使用して、ラメ模様、フォログラム、または、その他の模様を持つ写真プリントを作成することができ、より表現力のある（意匠性の高い）プリント物を作成することができる。
【００３３】
また、本発明のプリント用紙は、昇華型熱転写プリンタにより使用されるプリント用紙であって、全体が透明な素材で形成され、表面にラメ模様、フォログラム、または、その他の模様が形成され、かつ、表面に昇華色素受容層が形成されていることを特徴とする。
このような構成により、昇華型熱転写プリンタにより使用されるプリント用紙を、全体を透明な素材で形成し、また、表面にラメ模様、フォログラム、または、その他の模様を形成し、さらに、表面に昇華色素受容層を形成する。そして、インクリボンとして、例えば、受容層つき白色インク面（Ｗ）を持ったものを使用し、プリント用紙の表面の所望の部分を、受容層つき白色インク面（Ｗ）により白色でプリントし、この部分を白色で隠し、その後に、Ｙ（イエロー）、Ｍ（マゼンタ）、Ｃ（シアン）の３色のインク面（ＯＰ面を含む場合もある）で、カラープリントを行うようにする。
これにより、従来の印画機構部を１つしかもたない１台のプリンタで、１つのインクリボンを使用して、プリント用紙の下地色によらない、より表現力のある（意匠性の高い）プリント物を作成することができる。
【００３４】
また、本発明の昇華型熱転写プリンタは、基本色のインク面に加えて、受容層つき白色インク面を持つインクリボンと、表面色が所定の色または模様になるように形成され、かつ、表面に昇華色素受容層が形成されたプリント用紙を使用する昇華型熱転写プリンタであって、前記プリント用紙上の所望の部分の表面色または模様を隠すために、前記受容層つき白色インク面により白色でプリントを行う表面色隠蔽プリント手段と、前記表面色隠蔽プリント手段により白色がプリントされたプリント用紙上に、基本色のインク面を使用してカラー画像をプリントするカラープリント手段とを備えることを特徴とする。
このような構成により、昇華型熱転写プリンタで使用するインクリボンとして、Ｙ（イエロー）、Ｍ（マゼンタ）、Ｃ（シアン）等の３色のインク面に加えて（ＯＰ（ラミネート）面を含む場合もある）、受容層つき白色インク面（Ｗ）を持つものを使用する。そして、この受容層つき白色インク面（Ｗ）により、所定の表面色または模様を持つプリント用紙の所望の部分をプリントし、該所望部分の表面色または模様を白色で隠し、その後に、Ｙ、Ｍ、Ｃ等の３色のインク面で、カラープリントを行う。
これにより、従来の印画機構部を１つしかもたない１台のプリンタで、１つのインクリボンを使用して、所望の表面色または模様を持つプリント用紙に写真プリントを作成することができる。また、従来の昇華型熱転写方式プリンタによる写真プリントで必要であった用紙の白色をインクリボン側に持たせるので、銀色メタリックや透明などのプリント用紙が使用でき、今まで以上に豊かなプリント物の色表現に効果がある。
【００３５】
また、本発明の昇華型熱転写プリンタは、前記プリント用紙の表面色が銀色メタリックであることを特徴とする。
これにより、従来の印画機構部を１つしかもたない１台のプリンタで、１つのインクリボンを使用して、カラーメタリックを持つ写真プリントを作成することができる。
【００３６】
また、本発明の昇華型熱転写プリンタは、前記プリント用紙の表面に、ラメ模様、フォログラム、または、その他の模様が形成されていることを特徴とする。
これにより、従来の印画機構部を１つしかもたない１台のプリンタで、１つのインクリボンを使用して、ラメ模様、フォログラム、または、その他の模様を持つ写真プリントを作成することができ、より表現力のある（意匠性の高い）プリント物を作成することができる。
【００３７】
また、本発明の昇華型熱転写プリンタは、前記インクリボンには、さらに、ラメ模様、フォログラム、または、その他の模様をプリントするための透明模様面を有し、前記カラープリント手段には、前記透明模様面によるプリントを行う手段を備えることを特徴とする。
このような構成により、インクリボンには、Ｙ（イエロー）、Ｍ（マゼンタ）、Ｃ（シアン）等の基本色のインク面（ＯＰ（ラミネート）面を含む場合もある）と受容層つき白色インク面（Ｗ）に加えて、ラメ模様、フォログラム、または、その他の模様をプリントするための透明模様面（Ｐ）を持つものを使用し、受容層つき白色インク面（Ｗ）による白色プリントおよび基本色のインク面によるカラープリントの後に、透明模様面（Ｐ）によりラメ模様、フォログラム、または、その他の模様をプリントする。
これにより、従来の印画機構部を１つしかもたない１台のプリンタで、１つのインクリボンを使用して、ラメ模様、フォログラム、または、その他の模様を持つ写真プリントを作成することができ、より表現力のある（意匠性の高い）プリント物を作成することができる。
【００３８】
また、本発明のプリント制御方法は、基本色のインク面に加えて、受容層つき白色インク面を持つインクリボンと、表面色が所定の色または模様になるように形成され、かつ、表面に昇華色素受容層が形成されたプリント用紙を使用する昇華型熱転写プリンタにおけるプリント制御方法であって、前記昇華型熱転写プリンタ内の制御部により、前記プリント用紙上の所望の部分の表面色または模様を隠すために、前記受容層つき白色インク面により白色でプリントを行う表面色隠蔽プリント手順と、前記表面色隠蔽プリント手順により白色がプリントされたプリント用紙上に、基本色のインク面を使用してカラー画像をプリントするカラープリント手順とが行われることを特徴とする。
このような手順により、昇華型熱転写プリンタで使用するインクリボンとして、Ｙ（イエロー）、Ｍ（マゼンタ）、Ｃ（シアン）等の３色のインク面に加えて（ＯＰ（ラミネート）面を含む場合もある）、受容層つき白色インク面（Ｗ）を持つものを使用する。そして、この受容層つき白色インク面（Ｗ）により、所定の表面色または模様を持つプリント用紙の所望の部分をプリントし、該所望部分の表面色または模様を白色で隠し、その後に、Ｙ、Ｍ、Ｃ等の３色のインク面で、カラープリントを行う。
これにより、従来の印画機構部を１つしかもたない１台のプリンタで、１つのインクリボンを使用して、所望の表面色または模様を持つプリント用紙に写真プリントを作成することができる。また、従来の昇華型熱転写方式プリンタによる写真プリントで必要であった用紙の白色をインクリボン側に持たせるので、銀色メタリックや透明などのプリント用紙が使用でき、今まで以上に豊かなプリント物の色表現に効果がある。
【００３９】
また、本発明のプリント制御方法は、前記プリント用紙の表面色が銀色メタリックであることを特徴とする。
これにより、従来の印画機構部を１つしかもたない１台のプリンタで、１つのインクリボンを使用して、カラーメタリックを持つ写真プリントを作成することができる。
【発明の効果】
【００４０】
従来方式では、カラーメタリック等を持つプリント物を得るために、印画機構部を複数もつプリンタや、複数台のプリンタを使用しなければならなかったが、受容層つき白色カラーインクリボンと表面色が銀色メタリック等のプリント用紙を用いることにより、従来の印画機構部を１つしかもたない１台のプリンタで、１つのインクリボンを使用して、カラーメタリック等を持つ写真プリントを作成することができるので、装置コストを低くすることができる。また、従来の昇華型熱転写方式プリンタによる写真プリントで必要であった用紙の白色をインクリボン側に持たせることができるため、銀色メタリックや透明などのプリント用紙が使用でき、今まで以上に豊かなプリント物の色表現に効果がある。
【発明を実施するための最良の形態】
【００４１】
次に本発明を実施するための最良の形態について図面を参照して説明する。
【００４２】
［第１の実施の形態］
本発明の第１の実施の形態では、表面色が銀色メタリックのプリント用紙を使用し、また、受容層つき白色インク面（Ｗ）と基本色のカラーインク面（Ｙ、Ｍ，Ｃ）とを持つインクリボンを使用し、印画機構部を１つしか持たない１台のプリンタで、カラーメタリックを持つ写真プリントを作成する例について説明する。
【００４３】
図１は、本発明で使用される銀色メタリック用紙の例を示す図である。図１に示す銀色メタリック用紙１は、最下層に支持基材２があり、その上に銀メタリック層５があり、そして中間層３があり、その上に昇華染料が転写できる昇華色素受容層４が形成されている。すなわち、図１１に示す従来技術のプリント用紙１Ｂに、銀メタリック層５が追加された構造になっている。
【００４４】
銀メタリック層５は、最良の形態としては、ムラや模様がなく、反射率が高い金属膜である。支持基材２に薄い金属板や金属蒸着を施した用紙のように、表面色が銀色のメタリックであれば、銀メタリック層５は、無くても良い。
【００４５】
図２は、本発明で使用される、受容層つきの白色インク面（Ｗ）を持つカラーインクリボン（「受容層つき白色カラーインクリボン」とも言う）の例を示す図であり、ラミネートタイプの受容層つき白色カラーインクリボン１０の例を示している。ラミネートタイプの受容層つき白色カラーインクリボン１０では、１枚のプリントを得るために必要な構成色として、Ｗ（受容層つき白色）、Ｙ（イエロー）、Ｍ（マゼンタ）、Ｃ（シアン）の４色のインク面と、プリント物の表面を保護するラミネート（ＯＰ）層の５面を用いる。
【００４６】
Ｗ（受容層つき白色）は、印画後、下地色を透過しないような白色のインクの上に昇華染料が転写できる受容層が形成されている。
【００４７】
Ｙ、Ｍ、Ｃの各色とラミネート面（ＯＰ）は、従来のカラーインクリボンと同じく、昇華型熱転写プリンタ用の色素、およびラミネートを用いる。ラミネートは、プリント物の表面を保護する目的のためにあるので、ラミネートがない「Ｗ（受容層つき白色）、Ｙ、Ｍ、Ｃ」４色（４面）だけでも、同じ効果が得られる。
【００４８】
また、図３は、本発明によるプリントシステムの構成例を示す図であり、本発明に直接関係する部分のみを示したものである。本発明のインクリボンおよびプリント用紙を用いるシステムでは、プリンタとして印画機構部を１つしか持たないプリンタでよく、台数も１台でよい。
【００４９】
図３に示すシステムにおいては、１台のホストコンピュータ２０に１つの印画機構部を持つプリンタ３０がインターフェイスケーブル２３で接続され、ホストコンピュータ２０では、画像の作成、およびプリンタ３０への画像の送信を行い、プリンタ３０で、それをプリントする。インターフェイスケーブル２３としては、ＳＣＳＩ、ＵＳＢ、ＩＥＥＥ１３９４、などを用いる。
【００５０】
また、ホストコンピュータ２０は、画像を作成するためのアプリケーションソフト部２１と、プリンタ３０を制御するためのプリンタドライバ部２２を有しており、プリンタ３０は、ホストコンピュータ２０から画像データを受信するための入力データ制御部３１、プリンタ全体を制御する主制御部３３、サーマルヘッド等を備えた印画機構部３２を有している。
【００５１】
また、主制御部３３中の表面色隠蔽プリント処理部３４は、プリント用紙の所望の範囲の表面色または模様を隠すために、インクリボンの受容層つき白色インク面（Ｗ）によりプリントを行うための処理部である。
【００５２】
カラープリント処理部３５は、表面色隠蔽プリント処理部３４によりプリント用紙表面の所望の範囲を受容層つき白色インク面（Ｗ）でプリントした後に、Ｙ（イエロー）、Ｍ（マゼンタ）、Ｃ（シアン）の３色のインク面で、カラー画像をプリントするための処理部である。
【００５３】
図４は、本発明の第１の実施の形態における処理フローを示す図である。以下、図４を参照してその処理の流れについて説明する。
まず、ホストコンピュータ２０の内部にあるアプリケーションソフト部２１にて、写真としてプリントする部分の画像（下地画像）を、第１画像として作成する（ステップＳ１）。例えば、図５（Ａ）に示す第１画像４１を作成する。第１画像４１は、写真画像ではなく、写真としてプリントする部分、すなわちＷ（受容層つき白色インク面）でプリントし、用紙表面の銀メタリック色を隠す領域を指定するための画像である。
【００５４】
次に、ホストコンピュータ２０の内部にあるアプリケーションソフト部２１にて、カラーメタリックにしたい部分のカラー画像を作成する（ステップＳ２）。例えば、図５（Ｂ）に示すメタリック部分のカラー画像４２作成する。
【００５５】
次に、写真画像を準備する（ステップＳ３）、例えば、図５（Ｃ）に示す写真画像４３を用意する。
【００５６】
それから、ホストコンピュータ２０の内部にあるアプリケーションソフト部２１にて、ステップＳ２で作成したメタリック部分のカラー画像を写真画像に合成し、第２画像を作成する（ステップＳ４）。例えば、図５（Ｂ）に示すメタリック部分のカラー画像４２と、図５（Ｃ）に示す写真画像４３を合成し、図５（Ｄ）に示す第２画像４４を作成する。
【００５７】
そして、ホストコンピュータ２０の内部にあるアプリケーションソフト部２１より、プリンタドライバ部２２を経由して、第１画像、第２画像をプリンタに送信する（ステップＳ５）。
【００５８】
第１画像と第２画像の２つの画像がプリンタ３０に送信された後、プリンタ３０は、第１画像の下地画像（写真としてプリントする部分の画像）を、受容層つき白色カラーインクリボン１０のＷ（受容層つき白色インク面）でプリントする（ステップＳ６）。例えば、受容層つき白色カラーインクリボン１０のＷ（受容層つき白色インク面）により、図５（Ａ）に示す第１画像４１をプリントする。
【００５９】
次に、第１画像をプリントした上に、第２画像をインクリボンのＹ、Ｍ、Ｃインク面でプリントする（ステップＳ７）。例えば、図５（Ｄ）に示す第２画像４４をカラープリントする。
【００６０】
最後にプリント用紙上にラミネート層をプリントし、ラミネート層のプリント終了後、プリント物をプリンタ３０より排出する（ステップＳ８）。
【００６１】
上述した処理手順により、図８に示すような、カラーメタリックを持つ写真プリント物が得られる。
【００６２】
以上説明したように、従来の印画機構部を１つしかもたない１台のプリンタで、１つのインクリボンを使用して、カラーメタリックを持つ写真プリントを作成することができる。また、従来の昇華型熱転写方式プリンタによる写真プリントで必要であった用紙の白色をインクリボン側に持たせることで、銀色メタリックや透明などの用紙が使用できるので、今まで以上に豊かなプリント物の色表現に効果がある。
【００６３】
［第２の実施の形態］
上述した第１の実施の形態において、図１に示した銀色メタリック用紙１は、表面色が模様なしの銀色メタリックであるが、この銀メタリック層５、もしくは中間層３に、フォログラムやラメ模様などの様様をつけることにより、さらに意匠性が増したカラーメタリックを持つ写真プリントが可能となる。
【００６４】
［第３の実施の形態］
また、図１に示した銀色メタリック用紙１の用紙構造図において、銀メタリック層５をなくし、支持基材２に透明の材料を用いた透明プリント用紙を用いることもできる。これにより、用紙の下地色によらない、より表現力のある写真プリントが可能となる。
【００６５】
また、支持基材２、もしくは中間層３にラメなどの模様をつけた、模様つき透明用紙であれば、さらに意匠性が増したプリントが可能となる。
【００６６】
［第４の実施の形態］
図６は、本発明のインクリボンの他の構成例を示す図である。本発明においては、図６に示すような、透明の模様面（Ｐ）を持った受容層つき白色カラーインクリボンを使用し、銀色メタリック用紙にプリントすることもできる。透明の模様面としては、フォログラムやラメなどの模様が考えられる。
【００６７】
すなわち、図６に示すように、Ｐ（透明模様面）、Ｗ（受容層つき白色）、Ｙ、Ｍ、Ｃ、ＯＰで構成されたカラーインクリボン１１を使用し、６面で１画像分を印刷する。これにより、意匠性が増したカラーメタリックを持つ写真プリントが可能となる。
【００６８】
［第５の実施の形態］
また、インクリボンのラミネート面での模様印刷を行うこともできる。図１に示す銀色メタリック用紙１と、図２に示す受容層つき白色カラーインクリボンを使用し、ラミネート面（ＯＰ面）をプリントするときに図柄（模様）をプリントする。これにより、上記第２の実施の形態とほぼ同様の効果が得られる。なお、従来技術では、ラミネート面（ＯＰ面）は前面同一の熱エネルギーで転写を行っているが、この第５の実施の形態では、模様をプリントするように、サーマルヘッドを制御する。
【００６９】
以上、本発明の実施の形態について説明したが、本発明のインクリボン、プリント用紙、昇華型熱転写プリンタは、上述の図示例にのみ限定されるものではなく、本発明の要旨を逸脱しない範囲内において種々変更を加え得ることは勿論である。
【産業上の利用可能性】
【００７０】
本発明においては、従来の印画機構部を１つしかもたない１台のプリンタで、１つのインクリボンを使用して、所望の表面色または模様を持つプリント用紙に写真プリントを作成することができる。また、従来の昇華型熱転写方式プリンタによる写真プリントで必要であった用紙の白色をインクリボン側に持たせるので、銀色メタリックや透明などのプリント用紙が使用でき、今まで以上に豊かなプリント物の色表現ができる。従って、本発明は、インクリボン、プリント用紙、昇華型熱転写プリンタ、およびプリント制御方法等に有用である。
【図面の簡単な説明】
【００７１】
【図１】本発明で使用される銀色メタリック用紙の例を示す図である。
【図２】受容層つき白色カラーインクリボンの例を示す図である。
【図３】本発明によるプリントシステムの構成例を示す図である。
【図４】本発明の第１の実施の形態における処理フローを示す図である。
【図５】本発明における画像の構成例を示す図である。
【図６】本発明のインクリボンの他の構成例を示す図である。
【図７】昇華型熱転写プリンタについて説明するための図である。
【図８】カラーメタリックを持つ写真プリントの一例を示す図である。
【図９】メタリックインクリボンの例を示す図である。
【図１０】カラーインクリボンの例を示す図である。
【図１１】従来のプリント用紙の構造を示す図である。
【図１２】従来のシステム構成例を示す図である。
【図１３】従来のシステムにおける処理フローを示す図である。
【図１４】従来のシステムにおける画像の構成例を示す図である。
【符号の説明】
【００７２】
１  銀色メタリック用紙（プリント用紙）
１Ｂ  プリント用紙
２  支持基材
３  中間層
４  昇華色素受容層
５  銀メタリック層
１０  受容層つき白色カラーインクリボン
１１  透明模様面（Ｐ）を持つ受容層つき白色カラーインクリボン
１２  メタリックインクリボン
１３  カラーインクリボン
２０  ホストコンピュータ
２１  アプリケーションソフト部
２２  プリンタドライバ部
２３  インターフェイスケーブル
３０、３０Ｂ  プリンタ
３１  入力データ制御部
３２  印画機構部
３２Ａ  第１印画機構部
３２Ｂ  第２印画機構部
３３、３３Ｂ  主制御部
３４  表面色隠蔽プリント処理部
３５  カラープリント処理部
Ｙ  イエローインク面
Ｍ  マゼンタインク面
Ｃ  シアンインク面
ＯＰ  ラミネート面
Ｐ  透明模様面
Ｗ  受容層つき白色インク面
【図１】
2007144693.tif 000003
【図２】
2007144693.tif 000004
【図３】
2007144693.tif 000005
【図４】
2007144693.tif 000006
【図５】
2007144693.tif 000007
【図６】
2007144693.tif 000008
【図７】
2007144693.tif 000009
【図８】
2007144693.tif 000010
【図９】
2007144693.tif 000011
【図１０】
2007144693.tif 000012
【図１１】
2007144693.tif 000013
【図１２】
2007144693.tif 000014
【図１３】
2007144693.tif 000015
【図１４】
2007144693.tif 000016